(57)【要約】      （修正有）【課題】直立ロッドをネットに快速に脱着し又は定位する。【解決手段】一つのロッド２０と、一つの快速脱着素子３０と、一つの第一挟み止め素子４０と、一つの第二挟み止め素子４０と、一つの緊迫素子６０とを含むネット用直立ロッドにおいて、ロッドは、円形断面を持つ長ロッド体であり、周面には貫通孔２１が開設してあり、快速脱着素子は、ロッドの貫通孔を挿通し設けてあり、第一挟み止め素子は、ロッドの外径に合う円弧面が設けてあり、第二挟み止め素子は、ロッドの外径に合う円弧面が設けてあり、緊迫素子は、第二挟み止め素子に設けた貫通孔に対応して快速脱着素子を結合し定位するための貫通孔が開設してあり、ネットが第二挟み止め素子と緊迫素子の間に挟まれる。【選択図】図２
0003111600.tif 000002
【実用新案登録請求の範囲】
【請求項１】
一つのロッドと、一つの快速脱着素子と、一つの第一挟み止め素子と、一つの第二挟み止め素子と、一つの緊迫素子とを含むネット用直立ロッドにおいて、
前記ロッドは、円形断面を持つ長ロッド体であり、周面には貫通孔が開設してあり、
前記快速脱着素子は、前記ロッドの貫通孔を挿通し設けてあり、
前記第一挟み止め素子は、前記ロッドの外径に合う円弧面が設けてあり、且つ前記ロッドの一側の貫通孔に対応して前記快速脱着素子に挿通されるための貫通孔が開設してあり、
前記第二挟み止め素子は、前記ロッドの外径に合う円弧面が設けてあり、且つ前記ロッドの他側の貫通孔に対応して前記快速脱着素子に挿通されるための貫通孔が開設してあり、
前記緊迫素子は、前記第二挟み止め素子に設けた貫通孔に対応して前記快速脱着素子を結合し定位するための貫通孔が開設してあり、ネットが第二挟み止め素子と緊迫素子の間に挟まれることを特徴とする、
ネット用直立ロッド。
【請求項２】
前記第二挟み止め素子の円弧面の反対側には互いに平行する止め部が二つ設けてあり、緊迫素子が前記止め部の間に制限されることを特徴とする、請求項１に記載のネット用直立ロッド。
【請求項３】
前記緊迫素子は緊迫部と凸部から構成されたものであり、前記緊迫部は第二挟み止め素子に設けた貫通孔に応じて貫通孔が開設してあることを特徴とする、請求項１に記載のネット用直立ロッド。
【請求項４】
前記緊迫素子の緊迫部には座金が設置された収容窪が設けてあり、前記座金にはねじ穴が設けてあり、快速脱着素子が前記ねじ穴に螺着して定位されることを特徴とする、請求項３に記載のネット用直立ロッド。
【考案の詳細な説明】
【技術分野】
【０００１】
本考案は、ネット用直立ロッドに係り、特に、ネットに快速に脱着し又は定位することができるネット用直立ロッドに関するものである。
【背景技術】
【０００２】
図１に示すのは、米国特許第５６３９１６号明細書で開示したバレー・ボールのネット用直立ロッドの構造であり、その使用方法は、使用者が上螺着素子１０を上固定ロッドに設けた螺旋部１１１にねじ込んで、上螺着素子１０を上固定フック１２の内面に係合し、上螺着素子１０と上固定フック１２の係合により、直立ロッド全体がネットの上端に挟んで固定される（ネットは図示せず）。
【０００３】
また、下螺着素子１３を下固定ロッド１４のねじ山１４１と噛合して、下螺着素子１３を下固定フック１５の内面に係合し、下螺着素子１３と下固定フック１５の係合により、直立ロッド全体が図示を省略したネットの下端に挟んで固定される。そうすることで直立ロッドをネットに固定していた。
【考案の開示】
【考案が解決しようとする課題】
【０００４】
しかしながら、使用者がネット用直立ロッドを脱着する過程において、使用者は上下螺着素子１０，１３を上下固定ロッドに対して回転することにより、上螺着素子１０を上固定フック１２の内面に係合すると共に、下螺着素子１３を下固定フック１５の内面に係合していて、その操作が極めて不便であった。
【０００５】
本考案の主な目的は、ネットに快速に脱着して定位することができるネット用直立ロッドを提供する。
【課題を解決するための手段】
【０００６】
上記目的を達成するためになされた本願の考案は、一つのロッドと、一つの快速脱着素子と、一つの第一挟み止め素子と、一つの第二挟み止め素子と、一つの緊迫素子とを含むネット用直立ロッドにおいて、前記ロッドは、円形断面を持つ長ロッド体であり、周面には貫通孔が開設してあり、前記快速脱着素子は、前記ロッドの貫通孔を挿通し設けてあり、前記第一挟み止め素子は、前記ロッドの外径に合う円弧面が設けてあり、且つ前記ロッドの一側の貫通孔に対応して前記快速脱着素子に挿通されるための貫通孔が開設してあり、前記第二挟み止め素子は、前記ロッドの外径に合う円弧面が設けてあり、且つ前記ロッドの他側の貫通孔に対応して前記快速脱着素子に挿通されるための貫通孔が開設してあり、前記緊迫素子は、前記第二挟み止め素子に設けた貫通孔に対応して前記快速脱着素子を結合し定位するための貫通孔が開設してあり、ネットが第二挟み止め素子と緊迫素子の間に挟まれることを特徴とするネット用直立ロッドであることを要旨としている。
【０００７】
本願の考案では、前記第二挟み止め素子の円弧面の反対側には互いに平行する止め部が二つ設けてあり、緊迫素子が前記止め部の間に制限されることを特徴とする請求項１に記載のネット用直立ロッドであることを要旨としている。
【０００８】
本願の考案では、前記緊迫素子は緊迫部と凸部から構成されたものであり、前記緊迫部は第二挟み止め素子に設けた貫通孔に応じて貫通孔が開設してあることを特徴とする請求項１に記載のネット用直立ロッドであることを要旨としている。
【０００９】
本願の考案では、前記緊迫素子の緊迫部には座金が設置された収容窪が設けてあり、前記座金にはねじ穴が設けてあり、快速脱着素子が前記ねじ穴に螺着して定位されることを特徴とする請求項３に記載のネット用直立ロッドであることを要旨としている。
【考案の効果】
【００１０】
本考案に係るネット用直立ロッドによれば、直立ロッドはネットに快速に脱着し又は定位することができる。
【考案を実施するための最良の形態】
【００１１】
以下、添付図面を参照して本考案の好適な実施の形態を詳細に説明する。
【００１２】
まず、図２を参照する。本考案に係るネット用直立ロッドは、一つのロッド２０と、一つの快速脱着素子３０と、一つの第一挟み止め素子４０と、一つの第二挟み止め素子５０と、一つの緊迫素子６０とを含む。
【００１３】
前記ロッド２０は、円形断面を持つ長ロッド体であり、周面には貫通孔２１が開設してある。
【００１４】
前記快速脱着素子３０は、掛け外し部３１とロッド部３２とから構成されたものであり、前記ロッド部３２の端縁には模様が設けてあり、快速脱着素子３０はロッド部３２で前記ロッド２０に設けた貫通孔２１を挿入し設けてあり、且つ前記掛け外し部３１とロッド部３２の連結する箇所ではカム構造３３が設けてあり、
【００１５】
前記第一挟み止め素子４０は、前記ロッド２０の外径に合う円弧面４１が設けてあり、且つ前記ロッド２０の一側の貫通孔２１に対応して前記快速脱着素子３０のロッド部３２に挿通されるための貫通孔４２が開設してあり、且つ前記快速脱着素子３０のカム構造３３に対応して円弧形窪み４３が設けてあり、第一挟み止め素子４０に設けた円弧形窪み４３は快速脱着素子３０のカム構造３３を収容する。
【００１６】
前記第二挟み止め素子５０は、前記ロッド２０の外径に合う円弧面５１が設けてあり、且つ前記ロッド２０の他側の貫通孔２１に対応して前記快速脱着素子３０のロッド部３２に挿通されるための貫通孔５２が開設してあり、前記第二挟み止め素子５０の円弧面５１の反対側には互いに平行する止め部５３が二つ設けてある。
【００１７】
前記緊迫素子６０は、一つの緊迫部６１と一つの凸部６２とから構成されたものであり、前記緊迫部６１は第二挟み止め素子５０に設けた貫通孔５２に応じて螺旋を持つ貫通孔６３が開設してあり、快速脱着素子３０のロッド部３２が緊迫素子６０に設けた貫通孔６３に螺着し、緊迫素子６０の凸部６２の上面が第二挟み止め素子５０の止め部５３の下面に当接し、緊迫部６１の両側が止め部５３の間に制限される。
【００１８】
また、図３と図４を参照して本考案の使用方法を詳細に説明する。まず、第二挟み止め素子５０の外面と、緊迫素子６０の緊迫部６１の内面の間にネット７０を設置して、快速脱着素子３０の掛け外し部３１を上へ掛け外すことにより、快速脱着素子３０のロッド部３２が緊迫素子６０を駆動し、且つ快速脱着素子３０のカム構造３３が第一挟み止め素子４０の円弧形窪み４３を圧迫し、第一挟み止め素子４０の円弧面４１と、第二挟み止め素子５０と円弧面５１とをロッド２０に緊密に当接させ（図面に円弧面４１が表示せず）、且つ第二挟み止め素子５０と緊迫素子６０とがネット７０に固定する。
【００１９】
また、ロッド２０の上端に取り付けた挟み止め部材２３により、図５に示すように、ロッド２０がネットの上端に固定し、これにより、ロッド２０とネット７０の結合が完成したので、本考案によれば、使用者は快速脱着素子３０を掛け外すだけで、ロッド２０とネット７０の結合が容易に完成できる。
【００２０】
また、ロッド２０とネット７０の分解作業は、快速脱着素子３０を掛け外して挟み止め部材２３を解除するだけで、ロッド２０のネット７０に対する挟み止めが解除され、したがって、使用者はネット７０からロッド２０を快速で容易に取出すことができる。
【００２１】
また、図６に示すのは本考案に係る実施例２であり、実施例２と実施例１の異なる点は以下の通りである。
【００２２】
緊迫素子６０の緊迫部６１の一側には収容窪み６４が設けてあり、前記収容窪み６４は一つの座金８０を収容し定位し、且つ前記座金８０の中央の予定箇所ではねじ穴８１が設けてあり、快速脱着素子３０のロッド部３２は、第一挟み止め素子４２にある貫通孔４２と、ロッド２０にある貫通孔２１と、第二挟み止め素子５０にある貫通孔５２と、緊迫素子６１にある貫通孔６３とを順序に挿通して、座金８０にあるねじ穴８１にねじ込んで定位される。
【００２３】
また、ロッド２０の下端には挿入孔２２が設けてあり、前記挿入孔２２内にはレーザ指示器９０を設けてよく、そうすると、本考案に係るネット用直立ロッドをネット７０に取り付けるときに、レーザ指示器９０から放射された光線が球場地面の左右側のレインに投射するので、本考案に係るネット用直立ロッドは球場地面の左右側のレインに精確に合うことができる。
【図面の簡単な説明】
【００２４】
【図１】バレー・ボール用直立ロッドの従来の構造を示す斜視図である。
【図２】本考案の分解斜視図である。
【図３】本考案を移動する前の斜視図である。
【図４】本考案を移動した後の斜視図である。
【図５】本考案の実施状態を示す概略図である。
【図６】本考案に係る実施例２の分解斜視図である。
【符号の説明】
【００２５】
１０・・・・・・上螺着素子
１１・・・・・・上固定ロッド
１１１・・・・・螺旋部
１２・・・・・・上固定フック
１３・・・・・・下螺着素子
１４・・・・・・下固定ロッド
１４１・・・・・ねじ山
１５・・・・・・下固定フック
２０・・・・・・ロッド
２１・・・・・・貫通孔
２２・・・・・・挿入孔
２３・・・・・・挟み止め部材
３０・・・・・・快速脱着素子
３１・・・・・・掛け外し部
３２・・・・・・ロッド部
３３・・・・・・カム構造
４０・・・・・・第一挟み止め素子
４１・・・・・・円弧面
４２・・・・・・貫通孔
４３・・・・・・円弧形窪み
５０・・・・・・第二挟み止め素子
５１・・・・・・円弧面
５２・・・・・・貫通孔
５３・・・・・・止め部
６０・・・・・・緊迫素子
６１・・・・・・緊迫部
６２・・・・・・凸部
６３・・・・・・貫通孔
６４・・・・・・収容窪み
７０・・・・・・ネット
８０・・・・・・座金
８１・・・・・・ねじ穴
９０・・・・・・レーザ指示器
【図１】
0003111600.tif 000003
【図２】
0003111600.tif 000004
【図３】
0003111600.tif 000005
【図４】
0003111600.tif 000006
【図５】
0003111600.tif 000007
【図６】
0003111600.tif 000008